(57)【要約】【課題】誤操作を防止する。【解決手段】複数の操作部材を有する撮像装置２であって、前記操作部材の優先順位を記憶する情報記憶部１４と、前記操作部材が操作されたことを検知する検知部１２と、前記検知部により複数の前記操作部材の操作が検知された場合に、複数の前記操作部材の操作時間差が所定の時間以内であるか否かを判定する判定部４と、前記判定部により前記操作時間差が所定の時間以内であると判定された場合に、優先順位の高い前記操作部材の操作を有効とし、優先順位の低い前記操作部材の操作を無効とする制御部４とを備える。【選択図】図１
2015158568.tif 000002
【特許請求の範囲】
【請求項１】
複数の操作部材を有する撮像装置であって、
前記操作部材の優先順位を記憶する情報記憶部と、
前記操作部材が操作されたことを検知する検知部と、
前記検知部により複数の前記操作部材の操作が検知された場合に、複数の前記操作部材の操作時間差が所定の時間以内であるか否かを判定する判定部と、
前記判定部により前記操作時間差が所定の時間以内であると判定された場合に、優先順位の高い前記操作部材の操作を有効とし、優先順位の低い前記操作部材の操作を無効とする制御部と
を備えることを特徴とする撮像装置。
【請求項２】
複数の前記操作部材から成るグループを設定する設定部と、
前記情報記憶部は、前記設定部によって設定された前記グループに属する前記操作部材の優先順位を記憶することを特徴とする請求項１記載の撮像装置。
【請求項３】
前記情報記憶部は、モードごとに前記操作部材の優先順位を記憶することを特徴とする請求項１または２記載の撮像装置。
【発明の詳細な説明】
【技術分野】
【０００１】
本発明は、撮像装置に関するものである。
【背景技術】
【０００２】
従来、誤操作がなされ易いボタンの機能を設定されているモードで使用しないボタンに割り当てることにより、障害者や高齢者に対する操作性の向上を図った機器が知られている（例えば、特許文献１）。
【先行技術文献】
【特許文献】
【０００３】
【特許文献１】特開２０１１−１１８５２９号公報
【発明の概要】
【発明が解決しようとする課題】
【０００４】
しかし、上述の機器においては、使用するボタン同士の間隔が狭く操作者が誤って複数のボタンを操作した場合、所望しないボタン操作による誤操作を防止することができないという問題があった。
【０００５】
本発明の目的は、誤操作を防止することができる撮像装置を提供することである。
【課題を解決するための手段】
【０００６】
本発明の撮像装置は、複数の操作部材を有する撮像装置であって、前記操作部材の優先順位を記憶する情報記憶部と、前記操作部材が操作されたことを検知する検知部と、前記検知部により複数の前記操作部材の操作が検知された場合に、複数の前記操作部材の操作時間差が所定の時間以内であるか否かを判定する判定部と、前記判定部により前記操作時間差が所定の時間以内であると判定された場合に、優先順位の高い前記操作部材の操作を有効とし、優先順位の低い前記操作部材の操作を無効とする制御部とを備えることを特徴とする。
【発明の効果】
【０００７】
本発明の撮像装置によれば、誤操作を防止することができる。
【図面の簡単な説明】
【０００８】
【図１】実施の形態に係るデジタルカメラのシステム構成を示すブロック図である。
【図２】実施の形態に係るデジタルカメラの操作処理を示すフローチャートである。
【発明を実施するための形態】
【０００９】
以下、図面を参照して実施の形態に係るデジタルカメラについて説明する。図１は、実施の形態に係るデジタルカメラ２の構成を示すブロック図である。デジタルカメラ２は、ＣＰＵ４を備え、ＣＰＵ４には、複数の操作部材を含む操作部６、ＬＣＤ表示部８、被写体光を撮像する撮像素子１０、撮像素子１０により撮像された画像データを記憶する画像記憶部１１、操作部材が操作されたことを検知する検知部１２、操作部材の優先順位を記憶する情報記憶部１４、操作部材が操作された場合に経過時間を計測する時間計測部１６が接続されている。ここで操作部６には、例えば、シャッタボタン、再生ボタン、マルチセレクタ、削除ボタン、メニューボタン等の操作者がデジタルカメラ２を用いて操作を行う場合に操作する様々な操作部材が含まれている。また、情報記憶部１４には、操作部材の優先順位が記憶されている。
【００１０】
次に、図２に示すフローチャートを参照して、操作ボタンＡと操作ボタンＢが予め設定されている所定の時間内に操作された場合におけるデジタルカメラ２の操作処理を説明する。ここで、所定の時間は、操作ボタンＡと操作ボタンＢとが略同時に操作がなされたと判断され得る程度の短い時間である。
【００１１】
まず、電源がオンにされると、ＣＰＵ４は、検知部１２により、何れかの操作部材が操作されたか否かの検知を開始する（ステップＳ１）。ここで、例えば、操作者により操作ボタンＡが操作され、その旨が検知部１２により検知されると（ステップＳ１：Ｙｅｓ）、ＣＰＵ４は、時間計測部１６により、操作ボタンＡが操作された時点を基準とする経過時間の計測を開始する。
【００１２】
次に、ＣＰＵ４は、時間測定部１６により計測された経過時間が所定の時間を超えたか否かを判定する（ステップＳ２）。経過時間が所定の時間を超えている場合（ステップＳ２：Ｙｅｓ）、ＣＰＵ４は、ステップＳ１で操作された操作部材、つまり操作ボタンＡの操作を実行する（ステップＳ３）。一方、経過時間が所定の時間を超えていない場合（ステップＳ２：Ｎｏ）、ＣＰＵ４は、検知部１２により、操作ボタンＡ以外の他の操作部材が操作されたか否かを検知する（ステップＳ４）。
【００１３】
他の操作部材が操作されていない場合（ステップＳ４：Ｎｏ）、ステップＳ２に戻り、ＣＰＵ４は、経過時間が所定の時間を超えるまでステップＳ２〜Ｓ４の処理を繰り返す。他の操作部材、つまり操作ボタンＢが操作された場合（ステップＳ４：Ｙｅｓ）、ＣＰＵ４は、情報記憶部１４に記憶されている優先順位を参照し、ステップＳ１で操作された操作部材ＡとステップＳ４で操作された操作部材Ｂとの優先順位を比較する（ステップＳ５）。
【００１４】
ステップＳ１で操作された操作ボタンＡの優先順位がステップＳ４で操作された操作ボタンＢの優先順位よりも高い場合（ステップＳ５：Ｓ１＞Ｓ４）、ＣＰＵ４は、優先順位の高い操作ボタンＡの操作を有効とし、優先順位の低い操作ボタンＢの操作を無効とする（ステップＳ６）。これにより、例えば、操作ボタンＡの操作時に操作ボタンＢが誤って操作された場合、操作ボタンＢの操作が実行されることを防止し、操作者の意図した通りに操作ボタンＡの操作を実行することができる。
【００１５】
一方、ステップＳ１で操作された操作ボタンＡの優先順位がステップＳ４で操作された操作ボタンＢの優先順位よりも低い場合（ステップＳ５：Ｓ１＜Ｓ４）、ＣＰＵ４は、優先順位の高い操作ボタンＢの操作を有効とし、優先順位の低い操作ボタンＡの操作を無効とする（ステップＳ７）。これにより、例えば、操作者が操作ボタンＢを操作するつもりで誤って操作ボタンＡを操作した場合、操作ボタンＡの操作が実行されることを防止し、操作者の意図した通りに操作ボタンＢの操作を実行することができる。
【００１６】
この実施の形態に係るデジタルカメラ２によれば、操作者が誤って複数の操作部材を略同時に操作した場合、優先順位の高い操作部材の操作を有効とし、優先順位の低い操作部材の操作を無効とするため、例えば操作部材同士の間隔が狭い場合においても誤操作を防止することができる。
【００１７】
なお、上述の実施の形態において、必ずしも全ての操作部材の優先順位を記憶する必要はない。例えば、近接して配置された複数の操作部材から成るグループを生成し、グループに属する操作部材について優先順位を情報記憶部１４に記憶してもよい。また、デジタルカメラ２で設定可能なモード、例えば撮影モードや再生モードごとに操作部材やグループの優先順位を情報記憶部１４に記憶し、設定されたモードによって操作部材の優先順位が異なるようにしてもよい。
【００１８】
また、上述の実施の形態において、時間計測部１６により計測される操作部材の操作時間を、操作者の年齢、性別、操作頻度に応じて変更可能とするようにしてもよい。誤操作をしやすい操作者がデジタルカメラ２を操作する場合、例えば操作頻度が少なく操作に不慣れない操作者等が操作する場合は、所定の時間を長くする。その反対に、誤操作をしづらい操作者が操作する場合は、所定の時間を短くするようにしてもよい。
【００１９】
また、上述の実施の形態において、ＬＣＤ表示部８の表示画面が指等でタッチされたことを検出するタッチパネルを備えてもよい。この場合、情報記憶部１４に表示画面に表示される操作アイコンの優先順位を記憶しておき、所定の時間内に複数の操作アイコンが略同時に操作された場合に優先順位の高い操作アイコンの操作を有効とし、優先順位の低い操作アイコンの操作を無効とする。
【００２０】
また、上述の実施の形態においては、操作ボタンＡと操作ボタンＢの二つの操作部材が操作される場合を例に説明しているが、操作される部材は三つ以上であってもよい。この場合、最も優先順位の高い操作部材の操作のみが有効とされ、それ以外の操作部材の操作が無効とされる。
【符号の説明】
【００２１】
２…デジタルカメラ、４…ＣＰＵ、６…操作部、１０…撮像素子、１２…検知部、１４…情報記憶部、１６…時間計測部
【図１】
2015158568.tif 000003
【図２】
2015158568.tif 000004